(57)【要約】【課題】指を傷つけることがない安全なクリップを提供することを目的とする。【解決手段】回動自在に支持された一対のクリップ部材１１，１２と、クリップ部材１１，１２の先端部に挟持力を付与する付勢部材１３と、クリップ部材１１，１２の先端部の内側に配置された第１弾性部材１４，１５と、クリップ部材１１，１２の基端部の内側に配置された第２弾性部材１６，１７と、を備える。第２弾性部材１６，１７は、対向するクリップ部材１２，１１に向けてエッジ部２５よりも高く突出している。【選択図】図３
0003209945.tif 000002
【実用新案登録請求の範囲】
【請求項１】
回動自在に支持された一対のクリップ部材と、
前記クリップ部材の先端部に挟持力を付与する付勢部材と、
前記クリップ部材の先端部の内側に配置された第１弾性部材と、
前記クリップ部材の基端部の内側に配置された第２弾性部材と、
を備え、
前記クリップ部材の基端部には、その外周部にて、対向する前記クリップ部材に向けて突出するエッジ部が設けられ、
前記第２弾性部材は、対向する前記クリップ部材に向けて前記エッジ部よりも高く突出しているクリップ。
【請求項２】
前記第２弾性部材は、前記第１弾性部材と一体的に形成されている請求項１に記載のクリップ。
【請求項３】
対向する前記第２弾性部材が形成する空間の間隔寸法は、指の外形寸法と同等とされている請求項１又は２に記載のクリップ。
【請求項４】
請求項１から請求項３のいずれかに記載のクリップを備えているハンガー。
【考案の詳細な説明】
【技術分野】
【０００１】
本考案は、衣類を吊り下げる際に挟むクリップ及びハンガーに関し、特に安全を考慮したクリップ及びハンガーに関するものである。
【背景技術】
【０００２】
衣類を吊り下げる際に挟むクリップにおいては、一対のクリップ部材が互いに回動自在に連結されているクリップ本体及びクリップ本体の挟持力を向上させる一対の挟持力向上部材を備えているものが知られている（例えば特許文献１参照）。
【先行技術文献】
【特許文献】
【０００３】
【特許文献１】特許第３８７８９６１号公報
【考案の概要】
【考案が解決しようとする課題】
【０００４】
一対のクリップ部材の基端部を摘まむ際に、本来のクリップの使い方ではないが、対向するクリップ片の基端部の間に指を入れてしまう場合がある。このときに、クリップ部材の外周にエッジ部が形成されていると、指がエッジ部に接触し、エッジ部に沿ってスライドした場合に指を傷付けるおそれがある。特に、ハンガーをよりコンパクトにして陳列数を増やすために、対向するクリップ部材の基端部の間隔を狭くして指の外径寸法と同等にすると、上述のように指がクリップ片の基端部の間に挟まれるおそれがある。
【０００５】
本考案は、このような事情に鑑みてなされたものであって、指を傷つけることがない安全なクリップ及びハンガーを提供することを目的とする。
【課題を解決するための手段】
【０００６】
上記課題を解決するために、本考案のクリップ及びハンガーは以下の手段を採用する。
すなわち、本考案に係るクリップは、回動自在に支持された一対のクリップ部材と、前記クリップ部材の先端部に挟持力を付与する付勢部材と、前記クリップ部材の先端部の内側に配置された第１弾性部材と、前記クリップ部材の基端部の内側に配置された第２弾性部材と、を備え、前記クリップ部材の基端部には、その外周部にて、対向する前記クリップ部材に向けて突出するエッジ部が設けられ、前記第２弾性部材は、対向する前記クリップ部材に向けて前記エッジ部よりも高く突出している。
【０００７】
クリップ部材の基端部同士の間に指を差し込んだとしても、第２弾性部材がクリップ部材のエッジ部をよりも高く突出しているので、差し込んだ指が直接的にエッジ部に接触することがなく、傷つくことがない。
【０００８】
さらに、本考案のクリップでは、前記第２弾性部材は、前記第１弾性部材と一体的に形成されている。
【０００９】
第２弾性部材と第１弾性部材とが一体的に形成されることにより、第２弾性部材と第１弾性部材とを一度に製造することができる。
【００１０】
さらに、本考案のクリップでは、対向する前記第２弾性部材が形成する空間の間隔寸法は、指の外形寸法と同等とされている。
【００１１】
コンパクト化して陳列数を増やすために対向するクリップ部材の基端部の間隔を狭くして、対向する第２弾性部材の距離を指と同等の大きさまで小さくしても、指がエッジ部に直接接触することがない。
【００１２】
また、本考案のハンガーは、クリップを備えている。
【００１３】
ハンガーは、ボトム用ハンガーとして下着やスカート、スラックス等を吊り下げて用いる場合、基端部同士の間に指を差し込んだとしても、傷つくことがない。
【考案の効果】
【００１４】
指を傷つけることがない安全なクリップ及びハンガーを提供することができる。
【図面の簡単な説明】
【００１５】
【図１】本考案の一実施形態に係るハンガーの外観斜視図である。
【図２】本考案の一実施形態に係るクリップの外観斜視図である。
【図３】図２のクリップの側面図である。
【図４】図２のクリップにおけるクリップ部材の分解斜視図である。
【図５】図２のクリップにおけるクリップ部材の組み立て後の斜視図である。
【考案を実施するための形態】
【００１６】
以下、本考案のクリップ及びハンガーに係る一実施形態について、図１を用いて説明する。
図１に示すように、ハンガー１は、金属製であって、フック２と、横バー３とを備えている。横バー３には、２個のクリップ１０，１０が移動可能に装着される。ハンガー１には、下着やスカート、スラックス等のボトム商品が金属製の２個のクリップ１０，１０によって吊り下げられる。なお、ハンガー１は、樹脂を用いた構成とされていても良い。この場合、少なくともクリップ１０の枢止部２２（図２参照）に挿通される部分は金属製とされるのが好ましい。
【００１７】
図２及び図３に示すように、クリップ１０は、一対のクリップ部材１１，１２と、付勢部材１３と、一対の第１弾性部材１４，１５と、一対の第２弾性部材１６，１７とを備える。
【００１８】
クリップ部材１１，１２は、ステンレス等の金属製とされており、平面視した場合に略長方形を有する略板形状となっている。クリップ部材１１，１２は、図２中の上端部である基端部に摘み部１８，１９を有し、図１中の下端部である先端部に挟み部２０，２１を有する。クリップ部材１１，１２は、中央部に一対の枢止部２２，２２を有する。枢止部２２，２２によって一対のクリップ部材１１，１２が回動自在に支持されている。
【００１９】
クリップ部材１１，１２は、周囲が内側に折り曲げられて形成されたエッジ部２５を有している。すなわち、エッジ部２５は、クリップ部材１１，１２の周囲に枠形状に突出して形成されている。
【００２０】
付勢部材１３は、コイルばねであり、端部２３が枢止部２２の摘み部１８，１９側の内面に引掛けられることにより、枢止部２２を中心として、摘み部１８，１９を離れる方向、つまりは、挟み部２０，２１を接近させる方向に付勢する。
【００２１】
第１弾性部材１４，１５は、板形状に形成されたゴム状の高分子材であるエラストマーである。第１弾性部材１４，１５は、板形状に形成されてベース部材２４（図４参照）の下端部に設置されている。
第１弾性部材１４，１５は、ベース部材２４と一体に成形される。なお、第１弾性部材１４，１５は、別体のベース部材２４の下端部に貼り付けられてもよい。また、第１弾性部材１４，１５は、ベース部材２４を省略する場合には、クリップ部材１１，１２に対して直接固定される。
【００２２】
第２弾性部材１６，１７は、コ字形状に形成されたゴム状の高分子材であるエラストマーである。第２弾性部材１６，１７は、ベース部材２４（図４参照）の上端部に設置されている。第２弾性部材１６，１７は、エッジ部２５に沿って、好ましくはエッジ部２５に近接した状態で設けられている。
第２弾性部材１６，１７は、ベース部材２４と一体に成形される。第２弾性部材１６，１７は、ベース部材２４を介して第１弾性部材１４，１５に連続的に接続される。なお、第２弾性部材１６，１７は、別体のベース部材の上端部に貼り付けられてもよい。また、第２弾性部材１６，１７は、ベース部材２４を省略する場合には、クリップ部材１１，１２に対して直接固定される。
【００２３】
図３に示すように、第２弾性部材１６，１７は、対向するクリップ部材１１，１２に向けて突出して形成されているエッジ部２５（特に長手方向に延在するエッジ部２５）よりも突出方向の高さが大きくなるように設けられている。したがって、エッジ部２５の厚み寸法をｔ１、クリップ部材１１，１２の摘み部１８，１９の外面から第２弾性部材１６，１７の内面までの厚み寸法をｔ２とすると、ｔ１＞ｔ２の関係となっている。
【００２４】
図４及び図５に示すように、クリップ部材１１，１２のエッジ部２５の内側に収納されるようにベース部材２４が設けられている。ベース部材２４は、第１弾性部材１４，１５と第２弾性部材１６，１７とを一体的に備えている。ベース部材２４は、エッジ部２５の内側に接着等で接合することにより、クリップ部材１１，１２に対して固定される。
【００２５】
図３に示すように、クリップ部材１１，１２は、摘み部１８，１９に力を加えない無負荷状態において、対向する第２弾性部材１６，１７が形成する空間の間隔寸法Ｌ１を有している。この間隔寸法Ｌ１は、指の外形寸法と同等か、若干大きく設定されている。例えば、間隔寸法Ｌ１は、１５ｍｍ以下、好ましくは１３ｍｍ以下とされる。
【００２６】
このようなクリップ１０は、下着やスカート、スラックス等のボトム商品が吊り下げられる。このとき、ボトム商品を吊り下げるに際し、万が一に、摘み部１８，１９同士の間に指を差し込んだとしても、クリップ部材１１，１２の第２弾性部材１６，１７によってエッジ部２５に指が直接的に干渉することがない。
【００２７】
本実施形態によれば、以下の作用効果を奏する。
本実施形態のクリップ１０は、衣服を挟むに際し、摘み部１８，１９同士の間に指を差し込んだとしても、クリップ部材１１，１２の摘み部１８，１９の内側にエッジ部２５よりも突出高さが大きい第２弾性部材１６，１７が配置されているので、差し込まれた指は、クリップ部材１１，１２のエッジ部２５に直接干渉することがなく、指を傷つけることを防止できる。
【００２８】
第２弾性部材１６，１７と第１弾性部材１４，１５とを、ベース部材２４を用いて連続して一体的に構成したので、第２弾性部材１６，１７と第１弾性部材１４，１５とを単一部品として製造することができる。
【００２９】
コンパクト化して陳列数を増やすために対向するクリップ部材１１，１２の間隔を狭くして、対向する第２弾性部材１６，１７の間隔寸法Ｌ１を指と同等の大きさまで小さくしても、指がエッジ部２５に直接接触することがないので安全である。
【符号の説明】
【００３０】
１  ハンガー
１１，１２  クリップ部材
１３  付勢部材
１４，１５  第１弾性部材
１６，１７  第２弾性部材
２４  ベース部材
２５  エッジ部
【図１】
0003209945.tif 000003
【図２】
0003209945.tif 000004
【図３】
0003209945.tif 000005
【図４】
0003209945.tif 000006
【図５】
0003209945.tif 000007